【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
筺体の基本姿勢を検出し、該筺体の基本姿勢からの傾きを検出する傾き検出部と、
前記筺体に設けられ、情報を表示画面に表示する表示部と、
前記筺体に設けられ、該筺体に対する操作体の接触を検出する接触検出部と、
前記傾き検出部により検出された筺体の傾きに基づいて前記表示部の表示画面に表示された情報の移動を開始した後、前記接触検出部により操作体の接触が検出されたとき、前記表示画面に表示されている情報の移動を停止する制御部と、を備える情報表示装置。
【請求項２】
前記制御部は、前記接触検出部により検出された操作体の接触をトリガーに、前記表示画面に表示された情報を移動させるモードから前記情報をドラッグするモードにシームレスに制御を移行させる請求項１に記載の情報表示装置。
【請求項３】
前記制御部は、前記接触検出部により操作体の所定の動作が検出されたとき、前記傾き検出部により筺体のゆり動かし動作が検出されたとき、又は前記接触検出部により前記表示画面上の所定の表示に対する接触動作が検出されたときのいずれかの時点で、前記表示画面に表示された情報の移動を開始する請求項１に記載の情報表示装置。
【請求項４】
前記制御部は、前記傾き検出部により検出された傾きにより前記表示画面に表示される情報の移動速度の基本調整を行いながら、前記接触検出部により検出された操作体の所定操作に基づいて前記移動速度を微調整する請求項１に記載の情報表示装置。
【請求項５】
前記制御部は、前記表示画面に表示された情報の移動を開始する際には前記検出された傾きと所望の静止摩擦係数とを用いて情報の移動速度を制御し、前記情報が移動し始めてから所定時間経過後には前記検出された傾きと所望の動摩擦係数とを用いて情報の移動速度を制御する請求項１に記載の情報表示装置。
【請求項６】
筺体の基本姿勢を検出し、該筺体の基本姿勢からの傾きを検出する傾き検出部と、
前記筺体に設けられ、情報を表示画面に表示する表示部と、
前記筺体に設けられ、該筺体に対する操作体の接触を検出する接触検出部と、
前記筺体に設けられ、該筺体に対する操作体の圧力値を検出する圧力検出部と、
前記傾き検出部により検出された筺体の傾きに基づいて前記表示部の表示画面に表示された情報の移動を開始した後、前記圧力検出部により検出された圧力値が所定値以上になったとき、前記表示画面に表示されている情報の移動を停止する制御部と、を備える情報表示装置。
【請求項７】
前記制御部は、前記傾き検出部により検出された傾きにより前記表示画面に表示される情報の移動速度の基本調整を行いながら、前記圧力検出部により検出された圧力値に基づいて前記移動速度を微調整する請求項６に記載の情報表示装置。
【請求項８】
筺体の基本姿勢を検出し、該筺体の基本姿勢からの傾きを検出する傾き検出ステップと、
前記筺体に設けられた表示部の表示画面に情報を表示する表示ステップと、
前記表示画面に対する操作体の接触を検出する接触検出ステップと、
前記傾き検出ステップにて検出された筺体の傾きに基づいて前記表示画面に表示された情報の移動を開始した後、前記接触検出ステップにて操作体の接触が検出されたとき、前記表示画面に表示されている情報の移動を停止する制御ステップと、を含む情報表示方法。
【請求項９】
筺体の基本姿勢を検出し、該基本姿勢からの傾きを検出する傾き検出処理と、
前記筺体に設けられた表示部の表示画面に情報を表示する表示処理と、
前記表示画面に対する操作体の接触を検出する接触検出処理と、
前記傾き検出処理にて検出された筺体の傾きに基づいて前記表示画面に表示された情報の移動を開始した後、前記接触検出処理にて操作体の接触が検出されたとき、前記表示画面に表示されている情報の移動を停止する制御処理と、をコンピュータに実行させるためのプログラム。
【手続補正２】
【補正対象書類名】明細書
【補正対象項目名】００１７
【補正方法】変更
【補正の内容】
【００１７】
また、上記課題を解決するために、本発明の別の観点によれば、筺体の基本姿勢を検出し、該基本姿勢からの傾きを検出する傾き検出処理と、前記筺体に設けられた表示部の表示画面に情報を表示する表示処理と、前記表示画面に対する操作体の接触を検出する接触検出処理と、前記傾き検出処理にて検出された筺体の傾きに基づいて前記表示画面に表示された情報の移動を開始した後、前記接触検出処理にて操作体の接触が検出されたとき、前記表示画面に表示されている情報の移動を停止する制御処理と、をコンピュータに実行させるためのプログラムが提供される。
【手続補正３】
【補正対象書類名】明細書
【補正対象項目名】００１９
【補正方法】変更
【補正の内容】
【００１９】
【図１】本発明の第１〜第３実施形態に係るモバイル機器を示した図である。
【図２】第１及び第２実施形態に係るモバイル機器に搭載されたタッチパネル及び加速度センサを示した図である。
【図３】第１〜第３実施形態に係るモバイル機器の傾きと加速度センサの検出との関係を説明するための図である。
【図４】第１及び第２実施形態に係る機能ブロックを示した図である。
【図５】第１実施形態に係るモバイル機器にて実行される表示処理を示したフローチャートである。
【図６】第１〜第３実施形態に係るモバイル機器の基本姿勢を説明するための図である。
【図７】第１実施形態に係るモバイル機器の傾き方向とスクロール方向との関係を説明するための図である。
【図８】第１実施形態に係るスクロール動作を説明するための図である。
【図９】第１実施形態に係るスクロール動作、停止動作、ドラッグ動作を説明するための図である。
【図１０】第１実施形態に係るモバイル機器のスクロール方法の一例を説明するための図である。
【図１１】第１実施形態に係るモバイル機器のスクロール方法の一例を説明するための図である。
【図１２】第２実施形態に係るモバイル機器にて実行される表示処理を示したフローチャートである。
【図１３】第２実施形態に係るモバイル機器のスクロール方法の一例を説明するための図である。
【図１４】第３実施形態に係る機能ブロックを示した図である。
【図１５】第３実施形態に係るモバイル機器にて実行される表示処理を示したフローチャートである。
【図１６】第３実施形態に係るモバイル機器のスクロール方法の一例を説明するための図である。
【手続補正４】
【補正対象書類名】明細書
【補正対象項目名】００２５
【補正方法】変更
【補正の内容】
【００２５】
図２の上側図ａに示したように、本実施形態に係るモバイル機器１０には、ディスプレイ１２の一側面に細長のタッチパネル１４が設けられている。タッチパネル１４は、図２の下側図ｂに示したように、ディスプレイ１２の表示面全面に配置されたシート部材であってもよい。タッチパネル１４は、透過型であれば静電式であってもよく光学式であってもよい。本実施形態では、タッチパネル１４は、格子状に配置された静電センサを有していて、静電容量の変化によって表示面に接触している指等の操作体の位置（座標）を検出する。タッチパネル１４が静電容量の変化を検出しないとき、指はディスプレイ１２の表示面に接触していないと判定される。タッチパネル１４が静電容量の変化を検出すると、指がディスプレイ１２の表示面に接触していると判定される。これにより、操作者の指によるタッチ動作やフリック動作、ドラッグ動作等の所定の入力操作を検出することができる。
【手続補正５】
【補正対象書類名】明細書
【補正対象項目名】００４６
【補正方法】変更
【補正の内容】
【００４６】
ステップＳ５３５にて接触検出部２４が指の位置に変化がないと判定しても、ステップＳ５４５にて接触検出部２４が指の接触を検出している間、ステップＳ５３５〜Ｓ５４５の処理が繰り返される。一方、接触検出部２４がステップＳ５３５にて指の位置に変化がないと判定し、更に、ステップＳ５４５にて指が離れて非接触状態になったと判定した場合、ステップＳ５５０に進んで、制御部２８は、ドラッグモードを終了する。
【手続補正６】
【補正対象書類名】明細書
【補正対象項目名】００５７
【補正方法】変更
【補正の内容】
【００５７】
従来は、画面のスクロールや画像の移動を画面上に表示された仮想ボタンやハードウエアボタンで実行する場合、それらの操作の状態をグラフィックで示す必要があった。よって、スクロールやページ送り操作において、人の視点が移動したのか、コンテンツリストが動いたのかがわかりづらい場合があった。これに対して、本実施形態に係る操作によれば、筺体１０ａの傾斜という物理的な物質の動きを用いることにより、ユーザの操作と画面の動作との関係を関連づけやすくなり、直感的な操作が可能になる。例えば、フリック等のジェスチャ操作によってスクロールの速度を制御することができる。これにより、スクロール時の操作負担を軽減することができる。
【手続補正７】
【補正対象書類名】明細書
【補正対象項目名】００５８
【補正方法】変更
【補正の内容】
【００５８】
＜第３実施形態＞
次に、本発明の第３実施形態に係るモバイル機器１０について図１４〜図１６を参照しながら説明する。
【手続補正８】
【補正対象書類名】明細書
【補正対象項目名】００６２
【補正方法】変更
【補正の内容】
【００６２】
（表示処理）
本実施形態に係る表示処理が開始されると、第１実施形態と同様にステップＳ５０５〜Ｓ５２５にて筐体１０ａの傾き（加速度）に応じたスクロールが実行される。ステップＳ５２０にて、指がタッチパネルに触れたと判定されると、制御部２８は、ステップＳ１５０５にて圧力検出部２９により検出された指の圧力値に応じて摩擦係数を増減させ、ステップＳ１５１０にて摩擦係数に応じて加速量（スクロール量）を変化させる。ステップＳ１５１５では、制御部２８は、指の圧力が予め定められた所定値以上になったかを判定する。所定値になっていない場合、ステップＳ５２０に戻り、ステップＳ５２０、Ｓ５２５、Ｓ１５０５、Ｓ１５１０の処理を繰り返す。ステップＳ１５１５で指の圧力が所定値以上になったと判定された場合、制御部２８は、ステップＳ５３０にてスクロールを停止してドラッグモードに入る。ドラッグモード終了までの処理（ステップＳ５３５〜Ｓ５５０）は、第１実施形態の場合と同様であるため説明を省略する。